(57)【要約】【課題】  ユーザには商品又はサービスの特典情報を他の関連情報と共に比較可能に提供でき、広告主には他社の商品等に対する自社の商品等の優劣を認識できるインターネット広告方法及び広告システムを提供する。【解決手段】  広告サーバ１は、インターネット３を介してユーザＰＣ４に特典（お得）情報を提供すると共に、利用頻度の高いジャンルのインデックス項目を上位から順に表示し、更に細分類項目も利用頻度の高い順に表示し、表示される商品広告はランダムに配列して表示し、選択された商品広告に対して特定商品広告を表示する際には、関連する他社商品等の選択項目がアクセス数の多い順又は関連性の高い順に表示され、これら商品広告へのアクセスログから商品の収束率、戻り率、逃避率、滞在率を広告主ＰＣ５に提供できるインターネット広告方法及び広告システムである。【選択図】        図５
2007079759.tif 000002
【特許請求の範囲】
【請求項１】
インターネットを介して広告サーバから広告を提供するインターネット広告方法であって、
ユーザのコンピュータから広告サーバの広告サイトにアクセスがあると、広告サーバは、前記コンピュータには広告対象のインデックス画面を表示出力し、前記インデックス画面から特定商品又はサービスの種類が選択されると、当該種類に対応した個別の商品又はサービスの広告一覧を表示出力し、当該広告一覧から特定商品又はサービスの広告が選択されると、当該特定商品又はサービスに関する特典情報と当該特定商品又はサービスに関連する複数の他の商品又はサービスの選択項目を表示出力し、前記複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、当該選択項目の選択の履歴から広告参照の遷移を判別し、特定期間において特定商品又はサービスの種類の中で最終的に参照された商品又はサービスの割合を算出することを特徴とするインターネット広告方法。
【請求項２】
インターネットを介して広告サーバから広告を提供するインターネット広告方法であって、
ユーザのコンピュータから広告サーバの広告サイトにアクセスがあると、広告サーバは、前記コンピュータには広告対象のインデックス画面を表示出力し、前記インデックス画面から特定商品又はサービスの種類が選択されると、当該種類に対応した個別の商品又はサービスの広告一覧を表示出力し、当該広告一覧から特定商品又はサービスの広告が選択されると、当該特定商品又はサービスに関する特典情報と当該特定商品又はサービスに関連する複数の他の商品又はサービスの選択項目を表示出力し、前記複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、当該選択項目の選択の履歴から広告参照の遷移を判別し、特定期間において特定商品又はサービスの種類の中で参照された商品又はサービスの滞在時間の割合を算出することを特徴とするインターネット広告方法。
【請求項３】
広告サーバは、インデックス画面から特定商品又はサービスの種類が選択されると、当該種類に対応した個別の商品又はサービスの広告がランダムに配置された一覧を表示出力することを特徴とする請求項１又は２記載のインターネット広告方法。
【請求項４】
広告サーバは、特定商品又はサービスに関連する複数の他の商品又はサービスの選択項目を、アクセス数の多い順若しくは前記特定商品又はサービスへの関連性の高い順に表示出力することを特徴とする請求項１乃至３のいずれか記載のインターネット広告方法。
【請求項５】
インターネット広告を利用したインターネット広告の分析方法であって、
広告サーバから提供されるインターネット広告へのアクセス履歴から広告参照の遷移を判別し、特定期間において参照可能な広告の中で最終的に参照された広告の割合、又は／及び、特定期間において参照可能な広告の中で参照された広告の滞在時間の割合を算出することを特徴とするインターネット広告の分析方法。
【請求項６】
インターネットを介して広告を提供する広告サーバと、広告関連の情報を記憶する広告データベースとを備えた広告システムであって、
前記広告データベースは、広告サーバへのアクセス履歴を記憶し、広告対象のインデックス画面、特定商品又はサービスの種類に対応した個別の商品又はサービスの広告一覧画面、商品又はサービスに関する特典情報と当該特定商品又はサービスに関連する複数の他の商品又はサービスの選択項目を記憶するものであり、
前記広告サーバの制御部は、ユーザのコンピュータからのアクセスがあると、前記コンピュータに前記インデックス画面を表示出力し、前記インデックス画面から特定商品又はサービスの種類が選択されると、当該種類に対応した個別の商品又はサービスの広告一覧画面を表示出力し、当該広告一覧画面から特定商品又はサービスの広告が選択されると、当該特定商品又はサービスに関する特典情報と当該特定商品又はサービスに関連する複数の他の商品又はサービスの選択項目を表示出力し、前記複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、前記広告データベースのアクセス履歴を基に当該選択項目の選択の履歴から広告参照の遷移を判別し、特定期間において特定商品又はサービスの種類の中で最終的に参照された商品又はサービスの割合を算出するものであることを特徴とする広告システム。
【請求項７】
インターネットを介して広告を提供する広告サーバと、広告関連の情報を記憶する広告データベースとを備えた広告システムであって、
前記広告データベースは、広告サーバへのアクセス履歴を記憶し、広告対象のインデックス画面、特定商品又はサービスの種類に対応した個別の商品又はサービスの広告一覧画面、商品又はサービスに関する特典情報と当該特定商品又はサービスに関連する複数の他の商品又はサービスの選択項目を記憶するものであり、
前記広告サーバの制御部は、ユーザのコンピュータからのアクセスがあると、前記コンピュータに前記インデックス画面を表示出力し、前記インデックス画面から特定商品又はサービスの種類が選択されると、当該種類に対応した個別の商品又はサービスの広告一覧画面を表示出力し、当該広告一覧画面から特定商品又はサービスの広告が選択されると、当該特定商品又はサービスに関する特典情報と当該特定商品又はサービスに関連する複数の他の商品又はサービスの選択項目を表示出力し、前記複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、前記広告データベースのアクセス履歴を基に当該選択項目の選択の履歴から広告参照の遷移を判別し、特定期間において特定商品又はサービスの種類の中で参照された商品又はサービスの滞在時間の割合を算出するものであることを特徴とする広告システム。
【請求項８】
広告サーバの制御部は、インデックス画面から特定商品又はサービスの種類が選択されると、広告一覧画面において、当該種類に対応した個別の商品又はサービスの広告をランダムに配置して一覧を表示出力することを特徴とする請求項６又は７記載の広告システム。
【請求項９】
広告サーバの制御部は、特定商品又はサービスに関連する複数の他の商品又はサービスの選択項目を、アクセス数の多い順若しくは前記特定商品又はサービスへの関連性の高い順に表示出力することを特徴とする請求項６乃至８のいずれか記載の広告システム。
【請求項１０】
インターネットを介して広告を提供する広告サーバと、広告関連の情報を記憶する広告データベースとを備えた広告システムであって、
前記広告データベースは、広告サーバへのアクセス履歴を記憶し、
前記広告サーバの制御部は、前記広告データベースのアクセス履歴からインターネット広告への参照の遷移を判別し、特定期間において参照可能な広告の中で最終的に参照された広告の割合、又は／及び、特定期間において参照可能な広告の中で参照された広告の滞在時間の割合を算出することを特徴とする広告システム。
【発明の詳細な説明】
【技術分野】
【０００１】
本発明は、インターネットを介して広告を提供すると共にインターネットでマーケティングを行う方法に係り、特に、閲覧者には商品又はサービスの特典情報を他の関連情報と共に閲覧でき、広告主には他社の商品又はサービスに対する自社の商品又はサービスの優位性を認識できるインターネット広告方法及び広告システムに関する。
【背景技術】
【０００２】
従来のインターネットを利用した広告には、種々の商品を比較可能に閲覧できるものがある。
例えば、特開２００２−１８９９１９号公報「ネット広告システム」がある（特許文献１）。
この先行技術は、クライアントのディスプレイ上に一個の広告を主表示すると共に、同一画面上に関連商品の他の広告の一覧表リストを副表示して、主の広告以外に他の店舗の商品リストも閲覧可能にしたものである。
【０００３】
【特許文献１】特開２００２−１８９９１９号公報
【発明の開示】
【発明が解決しようとする課題】
【０００４】
しかしながら、従来のインターネット広告では、ユーザが購入したい商品、ユーザが提供されたいサービスについて、通常、同等の商品、サービスと比較しながら選択するものであるが、インターネットで関連する商品等を容易に比較できないものとなっていた。
【０００５】
尚、特許文献１のように、特定のサイトでは、運営者の努力によって関連する商品をジャンル分けし、比較可能なものもあるが、運営者の負担が大きいという問題点があった。
また、広告主としては、インターネット広告のアクセス数等を集計により知ることができるが、当該アクセス数の中でユーザが本当に希望して閲覧したのはどの程度であるのか容易に知ることができないという問題点があった。
【０００６】
本発明は上記実情に鑑みて為されたもので、ユーザには商品又はサービスの特典情報を他の関連情報と共に比較可能に提供でき、広告主には他社の商品等に対する自社の商品等の優劣を認識できるインターネット広告方法及び広告システムを提供することを目的とする。
【課題を解決するための手段】
【０００７】
上記従来例の問題点を解決するための本発明は、インターネットを介して広告サーバから広告を提供するインターネット広告方法において、ユーザのコンピュータから広告サーバの広告サイトにアクセスがあると、広告サーバは、コンピュータには広告対象のインデックス画面を表示出力し、インデックス画面から特定商品又はサービスの種類が選択されると、当該種類に対応した個別の商品又はサービスの広告一覧を表示出力し、当該広告一覧から特定商品又はサービスの広告が選択されると、当該特定商品又はサービスに関する特典情報と当該特定商品又はサービスに関連する複数の他の商品又はサービスの選択項目を表示出力し、複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、当該選択項目の選択の履歴から広告参照の遷移を判別し、特定期間において特定商品又はサービスの種類の中で最終的に参照された商品又はサービスの割合、若しくは参照された商品又はサービスの滞在時間の割合を算出することを特徴とする。
【０００８】
本発明は、インターネットを介して広告を提供する広告サーバと、広告関連の情報を記憶する広告データベースとを備えた広告システムであって、広告データベースは、広告サーバへのアクセス履歴を記憶し、広告対象のインデックス画面、特定商品又はサービスの種類に対応した個別の商品又はサービスの広告一覧画面、商品又はサービスに関する特典情報と当該特定商品又はサービスに関連する複数の他の商品又はサービスの選択項目を記憶するものであり、広告サーバの制御部は、ユーザのコンピュータからのアクセスがあると、コンピュータにインデックス画面を表示出力し、インデックス画面から特定商品又はサービスの種類が選択されると、当該種類に対応した個別の商品又はサービスの広告一覧画面を表示出力し、当該広告一覧画面から特定商品又はサービスの広告が選択されると、当該特定商品又はサービスに関する特典情報と当該特定商品又はサービスに関連する複数の他の商品又はサービスの選択項目を表示出力し、複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、広告データベースのアクセス履歴を基に当該選択項目の選択の履歴から広告参照の遷移を判別し、特定期間において特定商品又はサービスの種類の中で最終的に参照された商品又はサービスの割合、若しくは参照された商品又はサービスの滞在時間の割合を算出するものであることを特徴とする。
【０００９】
本発明は、インターネット広告を利用したインターネット広告の分析方法であって、広告サーバから提供されるインターネット広告へのアクセス履歴から広告参照の遷移を判別し、特定期間において参照可能な広告の中で最終的に参照された広告の割合、又は／及び、特定期間において参照可能な広告の中で参照された広告の滞在時間の割合を算出することを特徴とする。
【００１０】
本発明は、インターネットを介して広告を提供する広告サーバと、広告関連の情報を記憶する広告データベースとを備えた広告システムであって、広告データベースは、広告サーバへのアクセス履歴を記憶し、広告サーバの制御部は、広告データベースのアクセス履歴からインターネット広告への参照の遷移を判別し、特定期間において参照可能な広告の中で最終的に参照された広告の割合、又は／及び、特定期間において参照可能な広告の中で参照された広告の滞在時間の割合を算出することを特徴とする。
【発明の効果】
【００１１】
本発明によれば、インターネットを介して広告サーバから広告を提供するインターネット広告方法において、ユーザのコンピュータから広告サーバの広告サイトにアクセスがあると、広告サーバは、コンピュータには広告対象のインデックス画面を表示出力し、インデックス画面から特定商品又はサービスの種類が選択されると、当該種類に対応した個別の商品又はサービスの広告一覧を表示出力し、当該広告一覧から特定商品又はサービスの広告が選択されると、当該特定商品又はサービスに関する特典情報と当該特定商品又はサービスに関連する複数の他の商品又はサービスの選択項目を表示出力し、複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、当該選択項目の選択の履歴から広告参照の遷移を判別し、特定期間において特定商品又はサービスの種類の中で最終的に参照された商品又はサービスの割合、若しくは参照された商品又はサービスの滞在時間の割合を算出するものであり、ユーザには商品又はサービスの特典情報を他の関連情報と共に比較可能に提供でき、広告主には特定商品又はサービスの種類の中で特定商品又はサービスの優劣状況等のマーケティング関連情報を容易に提供できる効果がある。
【００１２】
本発明によれば、インターネットを介して広告を提供する広告サーバと、広告関連の情報を記憶する広告データベースとを備えた広告システムであって、広告データベースは、広告サーバへのアクセス履歴を記憶し、広告対象のインデックス画面、特定商品又はサービスの種類に対応した個別の商品又はサービスの広告一覧画面、商品又はサービスに関する特典情報と当該特定商品又はサービスに関連する複数の他の商品又はサービスの選択項目を記憶するものであり、広告サーバの制御部は、ユーザのコンピュータからのアクセスがあると、コンピュータにインデックス画面を表示出力し、インデックス画面から特定商品又はサービスの種類が選択されると、当該種類に対応した個別の商品又はサービスの広告一覧画面を表示出力し、当該広告一覧画面から特定商品又はサービスの広告が選択されると、当該特定商品又はサービスに関する特典情報と当該特定商品又はサービスに関連する複数の他の商品又はサービスの選択項目を表示出力し、複数の他の商品又はサービスの選択項目のいずれかが選択されると、選択された選択項目の商品又はサービスに関する特典情報と当該特定商品又はサービスに関連する複数の他の商品又はサービスの選択項目を表示出力し、広告データベースのアクセス履歴を基に当該選択項目の選択の履歴から広告参照の遷移を判別し、特定期間において特定商品又はサービスの種類の中で最終的に参照された商品又はサービスの割合、若しくは参照された商品又はサービスの滞在時間の割合を算出するものであり、ユーザには商品又はサービスの特典情報を他の関連情報と共に比較可能に提供でき、広告主には特定商品又はサービスの種類の中で特定商品又はサービスの優劣状況等のマーケティング関連情報を容易に提供できる効果がある。
【００１３】
本発明によれば、インターネット広告を利用したインターネット広告の分析方法であって、広告サーバから提供されるインターネット広告へのアクセス履歴から広告参照の遷移を判別し、特定期間において参照可能な広告の中で最終的に参照された広告の割合、又は／及び、特定期間において参照可能な広告の中で参照された広告の滞在時間の割合を算出するものであり、参照可能な広告の中で特定広告の優劣状況等のマーケティング関連情報を容易に提供できる効果がある。
【００１４】
本発明によれば、インターネットを介して広告を提供する広告サーバと、広告関連の情報を記憶する広告データベースとを備えた広告システムであって、広告データベースは、広告サーバへのアクセス履歴を記憶し、広告サーバの制御部は、広告データベースのアクセス履歴からインターネット広告への参照の遷移を判別し、特定期間において参照可能な広告の中で最終的に参照された広告の割合、又は／及び、特定期間において参照可能な広告の中で参照された広告の滞在時間の割合を算出するものであり、参照可能な広告の中で特定広告の優劣状況等のマーケティング関連情報を容易に提供できる効果がある。
【発明を実施するための最良の形態】
【００１５】
本発明の実施の形態について図面を参照しながら説明する。
［実施の形態の概要］
本発明の実施の形態に係る広告方法及び広告システムは、ユーザＰＣに特典（お得）情報を提供すると共に、利用頻度の高いジャンルのインデックス項目を上位から順に表示し、更に細分類項目も利用頻度の高い順に表示し、表示される商品広告はランダムに配列して表示し、選択された商品広告に対して特定商品広告を表示する際には、関連する他社商品等の選択項目がアクセス数の多い順又は関連性の高い順に表示され、これら商品広告へのアクセスログから商品の収束率、戻り率、逃避率、滞在率等のマーケティング関連情報を広告主ＰＣに提供できるものである。
これにより、ユーザは、購入したい商品等について特典情報を参考にしながら関連する他社商品も参照でき、広告主には自社商品の優位性に関するマーケティング関連情報を提供できるものである。
【００１６】
［実施の形態に係る広告システムの構成］
本発明の実施の形態に係る広告システムについて図１を参照しながら説明する。図１は、本発明の実施の形態に係る広告システムの構成ブロック図である。
本発明の実施の形態に係る広告システム（本システム）は、図１に示すように、広告サーバ１と、広告ＤＢ２と、インターネット３と、ユーザＰＣ４と、広告主ＰＣ５とから基本的に構成されている。
尚、通常、ユーザＰＣ４と広告主ＰＣ５とは複数インターネット３に接続している。
【００１７】
本システムの各部について具体的に説明する。
［広告サーバ］
広告サーバ１は、ユーザＰＣ４からのアクセスによって広告を提供するサーバである。
提供される広告は、広告商品又はサービスに関するお得情報（特典情報）を含むもので、トップ画面には商品又はサービスのインデックス画面が表示され、そのインデックス画面から商品等が多い場合は、更にインデックス画面で商品等の絞り込みを行い、具体的商品等の広告（商品広告）を提供表示するようになっている。
【００１８】
ここで、インデックス画面は、特定期間（例えば、１日、３日、１週間、１ヶ月等）内でアクセスの多い商品等のジャンルが多い順に上から一覧で表示され、インデックス項目が多い場合は、スクロール表示又はページ切り替え表示が為される。
また、具体的商品等の広告（商品広告）表示の場合、複数の商品等を一覧（広告一覧画面）で表示するようになっているが、その商品等の一覧表示は、アクセスがある度又は定期的に表示配列を変更している。ここで、表示配列を変更しているのは、広告一覧画面で一番上側にある広告にはアクセスが多いが、下側の広告にはアクセスが少ないことに鑑みて、表示広告に対するアクセスの機会均等を実現するためである。表示配列の変更は、ランダムであってもよいし、横方向、縦方向にシフトして巡回するものであってもよい。
【００１９】
更に、広告一覧画面から特定商品等を選択すると、当該商品等の個別広告内容（お得情報［特典情報］を含む）が表示されると共に、当該商品等に対応する他社の関連商品等の選択項目が複数表示される。関連商品等の選択項目をユーザが選択することで、ユーザは容易に関連する商品等を閲覧できる効果がある。但し、選択項目は、ユーザの利便性を考慮してアクセス数の多い順に表示されるようになっている。
ここで、広告一覧画面から特定商品とその商品の個別広告内容はリンクされており、他社の関連商品の選択項目とそれに対応する商品の個別広告内容はリンクされている。
【００２０】
また、広告サーバ１は、関連商品のアクセスログを記録し、当該ログから広告参照の遷移を求め、特定商品等への収束率、戻り率、滞在率等を演算して、広告主ＰＣ５にマーケティング関連情報として報告する。
また、広告サーバ１は、関連商品等に関するアクセス状況から関連性を判定し、商品等の個別広告内容において表示する関連商品の選択項目を更新する。
【００２１】
［広告サーバの内部構成］
構成サーバ１の内部構成について、図２を参照しながら説明する。図２は、広告サーバ１の内部構成を示す構成ブロック図である。
広告サーバ１は、図２に示すように、制御部１１と、メインメモリ１２と、記憶部１３と、インタフェース部１４とから構成されている。
【００２２】
制御部１１は、記憶部１３に格納されている処理プログラムを読み込んでメインメモリ１２にロードし、処理プログラムを動作させるものである。
メインメモリ１２は、処理プログラム、データ、パラメータ等を一時的に記憶するものである。
記憶部１３は、ハードディスク等の記憶装置で、処理プログラム及びそれを動作させるに必要なデータ、パラメータ等を記憶している。
インタフェース部１４は、外部のインターネット３，広告ＤＢ２に接続するためのインタフェースとなっている。
【００２３】
［広告ＤＢ］
広告ＤＢ（データベース）２は、広告に関連する情報を記憶するデータベースであり、個々の商品情報、商品等の関連性の情報、インデックスに関する情報を記憶している。
また、広告ＤＢ２は、ユーザのアクセスログを記憶し、そのログから算出された広告に関する各種統計情報を記憶している。
【００２４】
本システムにおける表示画面について説明する。
［広告インデックス画面］
まず、広告サーバ１が提供するウェブサイトにユーザＰＣ４がアクセスすると、図３に示すような広告インデックス画面が表示される。図３は、広告インデックス画面の表示例の図である。
【００２５】
広告インデックス画面は、図３に示すように、商品又はサービス等のジャンル毎にインデックス項目（例えば、自動車、ＰＣ、お菓子等）が表示され、更に各インデックス項目の下に細分類項目（インデックス項目が自動車であれば、セダン、スポーツカー、ＲＶ等）が表示される。
【００２６】
ここで、インデックス項目は、ユーザの利便性を考慮して、特定期間内でのアクセス数の多い項目が上位となるよう配列されている。また、細分類項目も特定期間内でのアクセス数の多い順に配列されている。
これにより、ユーザは、特定期間における人気のジャンルに素早くアクセスでき、更にその中の細分類項目への特定期間における人気の商品に素早くアクセスできる。
【００２７】
［ジャンル別広告画面］
次に、広告インデックス画面からインデックス項目が選択され、更に細分類項目が選択された場合に、表示されるジャンル別の広告一覧画面について図４を参照しながら説明する。図４は、ジャンル別の広告一覧画面の表示例を示す図である。
ジャンル別の広告一覧画面は、図４に示すように、例えば、インデックス項目「自動車」、細分類項目「セダン」を選択すると、「Ａ」から「Ｉ」の商品広告が一覧で表示される。
【００２８】
この商品広告は、特定期間間隔若しくはアクセス毎で任意に変更されて配列されるようになっている。また、任意ではなく、右方向にシフトして移動し、右端まで移動したら下段の左端に移動していくようにしてもよい。このように、商品広告を任意の配列としたのは、画面上位にある商品広告はよくアクセスされる傾向にあるため、全ての商品広告に対してユーザのアクセスの機会均等を実現するものである。
【００２９】
［特定商品広告画面］
次に、ジャンル別広告画面から特定商品広告を選択した場合に表示される特定商品広告画面について図５を参照しながら説明する。図５は、特定商品広告画面の表示例１の図である。
特定商品広告画面は、図５に示すように、選択した「Ａ」のセダンの広告が表示される。この広告には、当該商品のお得情報（特典情報）が含まれている。また、商品「Ａ」に関連する他社の商品の選択項目（「セダンＢ」「セダンＣ」）も複数表示される。選択項目としては、商品名であってもよいし、製造元又は販売元の商品の種類（「Ｂ社のセダン」「Ｃ社のセダン」等）としてもよい。
【００３０】
但し、選択項目は、アクセス数の多い順、または関連性の高い順に表示する。アクセス数の多い順は、広告ＤＢ２に記録されたアクセスログから、商品広告毎のアクセス数をカウントすることで、判別できる。
また、関連性は、ユーザが一度の閲覧において複数回参照された商品広告同士は関連性が高いと判別できる。例えば、商品広告「Ａ」「Ｂ」「Ａ」「Ｂ」のように参照された場合、商品広告「Ａ」と「Ｂ」は関連性があると判別できる。一度の閲覧で何度も「Ａ」と「Ｂ」が参照されたのであれば、関連性は高いことになる。よって、繰り返し参照された場合には、その繰り返し回数を関連性を示す数値として記憶し、関連性の判断材料とする。
【００３１】
そして、図５の表示画面から他社商品広告「Ｂ」が選択されると、図６に示す特定商品広告画面が表示される。図６は、特定商品広告画面の表示例２の図である。
図６では、商品広告「Ｂ」がお得情報と共に表示される。尚、他社の関連商品には、図５で参照した商品広告「Ａ」のインデックス項目が先頭に表示され、それ以下は、アクセス数の多い順、関連性の高い順でインデックス項目が表示される。
このように、前回表示した商品広告を他社の関連商品の先頭に持ってくるのは、ユーザが前回参照した商品広告へ容易にアクセスできるようにしたものである。
【００３２】
次に、広告主に対して商品の優劣に関する情報が提供されるが、その具体的内容について説明する。
［収束率、戻り率］
広告サーバ１では、ユーザＰＣ４からのアクセスにより、上記画面を表示しながら閲覧されることになるが、このようなアクセスによって広告主には種々の情報を提供できる。
まず、最終的に参照した商品広告を集計し、その中で自社商品広告を参照した割合を算出すると、自社商品広告への収束率を求めることができる。収束率とは、関連商品等をユーザが参照した結果、最終的に落ち着いた（商品選択のために立ち止まった）率を示すものである。
計算式は、自社商品広告収束率＝（最終参照の自社商品広告数）／（最終参照の全商品広告数）１００
【００３３】
また、自社商品広告を最初に参照して最後に再度自社商品広告を参照した割合を算出すると、自社商品広告への戻り率を求めることができる。戻り率とは、関連する商品広告をあれこれ参照した結果、最初に参照した商品広告が気になって戻ってきた割合である。
計算式は、自社商品広告戻り率＝（最初に自社商品広告を参照して最後に当該自社商品広告を参照した数）／（最初に自社商品広告を参照した数）１００
【００３４】
この戻り率の逆数（＝１００−自社商品広告戻り率）は、自社商品広告から他社商品広告に逃げられた率（逃避率）を示すものとなる。逃避率とは、自社商品を参照されたが、他の商品広告に最終的に落ち着いた率を示すものである。
【００３５】
［滞在時間、滞在率］
また、商品広告を参照している時間（特定の商品広告をクリックして参照開始し、次の商品広告の選択項目をクリックするまでの時間）を商品広告毎に計算し、その時間（滞在時間）の長さで商品広告の人気を測定することができる。
特に、関連する複数の商品広告において、全体の参照時間に対する特定商品広告の滞在時間の割合を求めることで、滞在率を求めることができる。
計算式は、滞在率＝（特定商品広告の滞在時間）／（関連商品広告の滞在時間の合計）×１００
【００３６】
［実施の形態の効果］
本システムによれば、ユーザに特典（お得）情報を提供すると共に、利用頻度の高いジャンルのインデックス項目を上位に表示し、更に細分類項目も利用頻度の高い順に表示し、但し、表示される商品広告は選択の機会均等を図るためにランダムに配列されて表示し、選択された商品広告に対して特定商品広告を表示する際には、関連する他社商品等の選択項目をアクセス数の多い順又は関連性の高い順に表示するようにしているので、ユーザのアクセスの利便性を向上でき、広告主には商品広告が選択される機会均等を保証し、これら商品広告へのアクセスログから商品の収束率、戻り率、逃避率、滞在率等のマーケティング関連情報を容易に広告主に提供できる効果がある。
【００３７】
［応用例］
本システムでは、自他商品の比較に用いるようにしているが、自社商品内での比較に用いるようにしてもよい。
この場合、収束率、戻り率、逃避率、滞在率とは、自社内の商品についてのものとなる。
【００３８】
また、本システムで算出される収束率、戻り率、逃避率、滞在率のマーケティング関連情報は、特典情報を提供しない単なる広告、若しくは関連商品等の選択項目を表示しないタイプの広告にも提供できるものである。この場合、マーケティング関連のプログラムだけを分離して広告配信サーバに組み込むことになる。これにより、広告の提供方法に拘わらず市場調査（マーケットリサーチ）が可能となる。
【産業上の利用可能性】
【００３９】
本発明は、ユーザには商品又はサービスの特典情報を他の関連情報と共に比較可能に提供でき、広告主には他社の商品等に対する自社の商品等の優劣を認識できるインターネット広告方法及び広告システムに好適である。
【図面の簡単な説明】
【００４０】
【図１】本発明の実施の形態に係る広告システムの構成ブロック図である。
【図２】広告サーバの内部構成を示す構成ブロック図である。
【図３】広告インデックス画面の表示例の図である。
【図４】ジャンル別の広告一覧画面の表示例を示す図である。
【図５】特定商品広告画面の表示例１の図である。
【図６】特定商品広告画面の表示例２の図である。
【符号の説明】
【００４１】
１…広告サーバ、  ２…広告ＤＢ、  ３…インターネット、  ４…ユーザＰＣ、  ５…広告主ＰＣ、  １１…制御部、  １２…メインメモリ、  １３…記憶部、  １４…インタフェース部
【図１】
2007079759.tif 000003
【図２】
2007079759.tif 000004
【図３】
2007079759.tif 000005
【図４】
2007079759.tif 000006
【図５】
2007079759.tif 000007
【図６】
2007079759.tif 000008